(57)【特許請求の範囲】
【請求項１】
油のみを吸着し水を通過するパウダー素材よりなる油水分離槽を配置した油水分離部と、該油水分離部を通過した水を通過する素材に微生物を培養した生物処理部と、該生物処理部に微生物の餌となる生物処理活性剤を補給する生物処理活性剤補給部と、前記生物処理部を通過した水を導入する排水貯水槽と、該排水貯水槽に浮上した油をポンプで吸引して前記油水分離部に供給する浮上油吸引部と、を備えることを特徴とする油水混合物から油を分離回収する油水分離回収装置。
【請求項２】
請求項１記載の油水混合物から油を分離回収する油水分離回収装置において、
前記パウダー素材は、ポリエチレン及びエチレン−プロピレンブロック共重合体の混合物を溶融押出し、発泡し、切断してペレットにしたものであることを特徴とする油水混合物から油を分離回収する油水分離回収装置。
【請求項３】
請求項１又は２に記載の油水混合物から油を分離回収する油水分離回収装置において、
前記油水分離槽は、水は通過するがパウダー素材の通過を阻止可能な素材の袋内に収容されていることを特徴とする油水混合物から油を分離回収する油水分離回収装置。
【請求項４】
請求項１〜３のいずれか１項に記載の油水混合物から油を分離回収する油水分離回収装置において、
前記油水分離部は、油水分離槽を所定間隔あけて複数段階配置したことを特徴とする油水混合物から油を分離回収する油水分離回収装置。
【請求項５】
請求項１〜４のいずれか１項に記載の油水混合物から油を分離回収する油水分離回収装置において、
前記生物処理部は、所定間隔あけて複数段階配置したことを特徴とする油水混合物から油を分離回収する油水分離回収装置。
【請求項６】
請求項１〜５のいずれか１項に記載の油水混合物から油を分離回収する油水分離回収装置において、
前記浮上油吸引部は、ポンプの吸引口を水面より僅かに沈んだ位置に維持させるフロートを備えていることを特徴とする油水混合物から油を分離回収する油水分離回収装置。
【請求項７】
油のみを吸着し水を通過するパウダー素材よりなる油水分離槽を配置した油水分離部を通過させた後、水を通過する素材に微生物を培養し、かつ、生物処理活性剤補給部から微生物の餌となる生物処理活性剤を補給した生物処理部を通過させ、生物処理部を通過した水を排水貯留水槽に戻し、排水貯水槽に浮上した油をポンプで吸引して前記油水分離部に供給するように排水を循環させるようにしたことを特徴とする油水混合物から油を分離回収する油水分離回収方法。
【請求項８】
請求項７に記載の油水混合物から油を分離回収する油水分離回収方法において、
前記油水分離部から取り出した油水分離槽を圧縮して油を回収し、助燃材として利用すると共に、油を回収した油水分離槽を油水分離部で再利用するようにしたことを特徴とする油水混合物から油を分離回収する油水分離回収方法。
【発明の詳細な説明】
【技術分野】
【０００１】
本発明は、鉱物油、動植物油、エマルジョン化油分、切削油等の油水混合物から油を分離回収する油水分離回収装置及び油水分離回収方法に関する。
【背景技術】
【０００２】
従来、例えば、レストランやホテル等の業種では、水と油が混ざった排水の処理が義務付けられているため、グリストラップという排水処理設備が備えられている。このグリーンストラップは、特許文献１〜３に示すように、水と油の比重差を利用して浮いた油を回収するというものであった。
【先行技術文献】
【特許文献】
【０００３】
【特許文献１】特開２１１-２５５３８１号公報
【特許文献２】特開２１２-５４９号公報
【特許文献３】特開２１２-３５１４８号公報
【発明の概要】
【発明が解決しようとする課題】
【０００４】
しかしながら、従来の油水分離回収装置にあっては、比重差を利用した分離方式であるため、水と油を完全に分離することはできず、浮いた油を回収しただけでは、水分を多く含んでいるため、助燃材としての油の再利用は困難であることはもちろん、産廃処理として焼却処分する場合でも多大なコストがかかってしまうという問題がある。
また、油水分離された後の水には、栄養価の高い有機物が混じっているため、腐敗して悪臭を発し、環境衛生上問題となっていた。
【０００５】
本発明の解決しようとする課題は、水と油を完全に分離し、助燃材としての油の再利用が可能であると共に、水の腐敗を防止して悪臭の発生をなくすことができる油水混合物から油を分離回収する油水分離回収装置及び油水分離回収方法を提供することにある。
【課題を解決するための手段】
【０００６】
上記課題を解決するため請求項１記載の油水混合物から油を分離回収する油水分離回収装置は、油のみを吸着し水を通過するパウダー素材よりなる油水分離槽を配置した油水分離部と、該油水分離部を通過した水を通過する素材に微生物を培養した生物処理部と、該生物処理部に微生物の餌となる生物処理活性剤を補給する生物処理活性剤補給部と、前記生物処理部を通過した水を導入する排水貯水槽と、該排水貯水槽に浮上した油をポンプで吸引して前記油水分離部に供給する浮上油吸引部と、を備えることを特徴とする手段とした。
【０００７】
また、請求項２記載の油水混合物から油を分離回収する油水分離回収装置は、請求項１記載の油水混合物から油を分離回収する油水分離回収装置において、
前記パウダー素材は、ポリエチレン及びエチレン−プロピレンブロック共重合体の混合物を溶融押出し、発泡し、切断してペレットにしたものであることを特徴とする手段とした。
【０００８】
また、請求項３記載の油水混合物から油を分離回収する油水分離回収装置は、請求項１又は２に記載の油水混合物から油を分離回収する油水分離回収装置において、
前記油水分離槽は、水は通過するがパウダー素材の通過を阻止可能な素材の袋内に収容されていることを特徴とする手段とした。
【０００９】
また、請求項４記載の油水混合物から油を分離回収する油水分離回収装置は、請求項１〜３のいずれか１項に記載の油水混合物から油を分離回収する油水分離回収装置において、
前記油水分離部は、油水分離槽を所定間隔あけて複数段階配置したことを特徴とする手段とした。
【００１０】
また、請求項５記載の油水混合物から油を分離回収する油水分離回収装置は、請求項１〜４のいずれか１項に記載の油水混合物から油を分離回収する油水分離回収装置において、
前記生物処理部は、所定間隔あけて複数段階配置したことを特徴とする手段とした。
【００１１】
また、請求項６記載の油水混合物から油を分離回収する油水分離回収装置は、請求項１〜５のいずれか１項に記載の油水混合物から油を分離回収する油水分離回収装置において、
前記浮上油吸引部は、ポンプの吸引口を水面より僅かに沈んだ位置に維持させるフロートを備えていることを特徴とする手段とした。
【００１２】
また、請求項７記載の油水混合物から油を分離回収する油水分離回収方法は、油のみを吸着し水を通過するパウダー素材よりなる油水分離槽を配置した油水分離部を通過させた後、水を通過する素材に微生物を培養し、かつ、生物処理活性剤補給部から微生物の餌となる生物処理活性剤を補給した生物処理部を通過させ、生物処理部を通過した水を排水貯留水槽に戻し、排水貯水槽に浮上した油をポンプで吸引して前記油水分離部に供給するように排水を循環させるようにしたことを特徴とする手段とした。
【００１３】
また、請求項８記載の油水混合物から油を分離回収する油水分離回収方法は、請求項７に記載の油水混合物から油を分離回収する油水分離回収方法において、
前記油水分離部から取り出した油水分離槽を圧縮して油を回収し、助燃材として利用すると共に、油を回収した油水分離槽を油水分離部で再利用するようにしたことを特徴とする手段とした。
【発明の効果】
【００１４】
本発明の油水混合物から油を分離回収する油水分離回収装置では、上述のように、排水貯水槽に浮上した油をポンプで吸引し、油のみを吸着し水を通過するパウダー素材よりなる油水分離槽を配置した油水分離部を通過させることで、水分を含まない油分を油水分離槽に吸着回収することができる。
そして、油水分離部から油水分離槽を取り出して圧縮することで、油を回収することができ、この油は水を含まないので、助燃材として再利用することができるようになると共に、油が回収された油水分離槽は油水分離部で再利用することができる。
【００１５】
また、油水分離部を通過した栄養分を含む水を、水を通過する素材に微生物を培養し、かつ、生物処理活性剤補給部から微生物の餌となる生物処理活性剤を補給した生物処理部を通過させることにより、微生物の共食いを防止することができ、これにより、微生物が水中の有機物を酸化、分解する生物処理作用によって水の腐敗を防止して悪臭の発生をなくすことができるようになる。
【００１６】
また、生物処理部を通過した水を排水貯留水槽に戻し、排水貯水槽に浮上した油をポンプで吸引して前記油水分離部に供給するように排水を循環させるようにしたことで、油と水を完全に分離し、水の腐敗を完全に防止することができるようになる。
【００１７】
また、前記油水分離槽は、水は通過するがパウダー素材の通過を阻止可能な素材の袋内に収容されることで、油の回収作業が容易に行えるようになる。
【００１８】
また、前記油水分離部は、油水分離槽を所定間隔あけて複数段階配置することで、油と水を確実に分離することができる。
【００１９】
また、前記生物処理部は、所定間隔あけて複数段階配置することで、水の腐敗を完全に防止できるようになる。
【００２０】
また、前記浮上油吸引部は、ポンプの吸引口を水面より僅かに沈んだ位置に維持させるフロートを備えていることで、浮いた油分を効率よく吸引して油水分離部に供給することができる。
【図面の簡単な説明】
【００２１】
【図１】実施例１の油水混合物から油を分離回収する油水分離回収装置を示す説明図である。
【発明を実施するための形態】
【００２２】
以下にこの発明の実施例を図面に基づいて説明する。
【実施例１】
【００２３】
まず、この実施例１の油水混合物から油を分離回収する油水分離回収装置を図面に基づいて説明する。
【００２４】
この油水混合物から油を分離回収する油水分離回収装置は、図１に示すように、油水分離部１と、生物処理部２と、生物処理活性剤補給部３と、排水貯水槽４と、浮上油吸引部５と、フロースイッチ６と、を備えている。
【００２５】
さらに詳述すると、油水分離部１は、油のみを吸着し水を通過するパウダー素材よりなる油水分離槽１１、１２、１３を配置したものであり、パウダー素材として、ポリエチレン及びエチレン−プロピレンブロック共重合体の混合物を溶融押出し、発泡し、切断してペレットにしたものが用いられ、これを水は通過するがパウダー素材の通過を阻止可能な素材の袋内に収容したシート状に形成されている。
また、この実施例１の油水分離部１は、油水分離槽１１、１２、１３を所定間隔あけて３段階配置されている。
【００２６】
生物処理部２は、前記油水分離部１を通過した水を通過するスポンジ等のシート素材に、乳酸菌、イースト菌、納豆菌等の微生物を培養したもので、微生物が水中の有機物を酸化、分解する生物処理作用によって水の腐敗を防止して悪臭の発生をなくす働きをする。
【００２７】
生物処理活性剤補給部３は、生物処理部２に微生物の餌となる生物処理活性剤を補給する役目をなす。
すなわち、生物処理部２における微生物は、餌となる栄養分がないと共食いするため、餌となる生物処理活性剤を補給してやることで共食いを防止し、本来の機能を永続させる役目をなすものである。
なお、生物処理活性剤として、糖蜜等が用いられる。
【００２８】
排水貯水槽４は、レストラン等で発生する排水を貯め置きして比重差で油を浮上させる槽であり、前記生物処理部２を通過し処理された水はこの排水貯水槽４の底部に還流させるようになっている。
【００２９】
浮上油吸引部５は、排水貯水槽４に浮上した油をポンプ５１で吸引して前記油水分離部１に供給する役目をなす。
すなわち、この浮上油吸引部５は、フロート５２によりポンプ５１の吸引口５１ａを水面より僅かに沈んだ位置に維持させるようになっている。
【００３０】
フロースイッチ６は、排水貯水槽４内の水位を制御する役目をなすもので水位が所定位置より上昇するとポンプ５１のスイッチをＯＮするオンスイッチ６１と、所定水位より下降するとポンプ５１のスイッチをＯＦＦするオフスイッチ６２と、を備える。
【００３１】
次に、この実施例１の作用を説明する。
この実施例１の油水混合物から油を分離回収する油水分離回収装置では上述のように構成されるため、レストラン等の排水を排水貯水槽４に貯め置きしておくことにより、比重差により油分が水面に浮上する。
この水面に浮上した油分をポンプ５１で吸引して油水分離部１に送り込むことにより、３段の油水分離槽１１、１２、１３を順次通過する際に油分だけが吸収され、水分だけが微生物を培養した生物処理部２に落下する。
この生物処理部２では、微生物が水中の有機物を酸化、分解する生物処理作用によって水の腐敗を防止して悪臭の発生をなくすことができる。
なお、生物処理活性剤補給部３から生物処理部２に微生物の餌となる生物処理活性剤を補給することで、微生物の共食いを防止する。
生物処理部２を通過した水は排水貯水槽４の底部に還流させる。
油水分離槽１１、１２、１３を油水分離部１から取り出して、圧縮することにより、油分だけを回収し、これを助燃材として再利用する。また、油分を回収した油水分離槽１１は油水分離部１で再利用する。
【００３２】
次に、この実施例１の効果を説明する。
この実施例１の油水混合物から油を分離回収する油水分離回収装置では、上述のように、排水貯水槽４に浮上した油をポンプ５１で吸引し、油のみを吸着し水を通過するパウダー素材よりなる油水分離槽１１、１２、１３を配置した油水分離部１を順次通過させることで、水分を含まない油分を油水分離槽１１、１２、１３に吸着回収することができる。
そして、油水分離部１から油水分離槽１１、１２、１３を取り出して圧縮することで、油を回収することができ、この油は水を含まないので、助燃材として再利用することができるようになると共に、油が回収された油水分離槽１１は油水分離部１で再利用することができる。
【００３３】
また、油水分離部を通過した栄養分を含む水を、水を通過する素材に微生物を培養し、かつ、生物処理活性剤補給部３から微生物の餌となる生物処理活性剤を補給した生物処理部２を通過させることにより、微生物の共食いを防止することができ、これにより、微生物が水中の有機物を酸化、分解する生物処理作用によって水の腐敗を防止して悪臭の発生をなくすことができるようになる。
【００３４】
また、生物処理部２を通過した水を排水貯留水槽４に戻し、排水貯水槽４に浮上した油をポンプ５１で吸引して前記油水分離部１に供給するように排水を循環させるようにしたことで、油と水を完全に分離し、水の腐敗を完全に防止することができるようになる。
【００３５】
また、前記油水分離槽１１は、水は通過するがパウダー素材の通過を阻止可能な素材の袋内に収容されることで、油の回収作業が容易に行えるようになる。
【００３６】
また、前記油水分離部１は、油水分離槽１１、１２、１３を所定間隔あけて複数段階配置することで、油と水を確実に分離することができる。
【００３７】
また、前記生物処理部２は、所定間隔あけて複数段階配置することで、水の腐敗を完全に防止できるようになる。
【００３８】
また、前記浮上油吸引部５は、ポンプ５１の吸引口を水面より僅かに沈んだ位置に維持させるフロート５２を備えていることで、浮いた油分を効率よく吸引して油水分離部１に供給することができる。
【００３９】
また、フロースイッチ６を備えることで、排水貯水槽４内の水位を所定範囲の水位に維持させることができる。
【００４０】
以上本実施例を説明してきたが、本発明は上述の実施例に限られるものではなく、本発明の要旨を逸脱しない範囲の設計変更等があっても、本発明に含まれる。
【００４１】
例えば、実施例では、生物処理活性剤として、糖蜜を例にとって説明したが、微生物の餌となりうる栄養分であればよい。
【００４２】
また、実施例では、油水分離槽１１のパウダー素材として、ポリエチレン及びエチレン−プロピレンブロック共重合体の混合物を溶融押出し、発泡し、切断してペレットにしたものが用いられたが、油分のみを吸着し、水分の通過が可能な素材であればよい。
【符号の説明】
【００４３】
１  油水分離部
１１  油水分離槽
１２  油水分離槽
１３  油水分離槽
２  生物処理部
３  生物処理活性剤補給部
４  排水貯水槽
５  浮上油吸引部
５１  ポンプ
５１ａ  吸引口
５２  フロート
６  フロースイッチ
６１  オフスイッチ
６２  オンスイッチ
【要約】
【課題】  水と油を完全に分離し、助燃材としての油の再利用が可能であると共に、水の腐敗を防止して悪臭の発生をなくすことができる油水混合物から油を分離回収する油水分離回収装置及び油水分離回収方法の提供。
【解決手段】  油のみを吸着し水を通過するパウダー素材よりなる油水分離槽１１、１２、１３を配置した油水分離部１を通過させた後、水を通過する素材に微生物を培養し、かつ、生物処理活性剤補給部３から微生物の餌となる生物処理活性剤を補給した生物処理部２を通過させ、生物処理部２を通過した水を排水貯留水槽４に戻し、排水貯水槽４に浮上した油をポンプ５１で吸引して前記油水分離部１に供給するように排水を循環させる。
【選択図】      図１【図１】
0005438241.tif 000002